(57)【要約】【課題】  薬剤収納カセット内に流入したスカムを含むゴミをスムーズに排出して、カセットを清潔に維持することができるヌメリ防除剤収納カセット、及び該ヌメリ防除剤収納カセットを備えたヌメリ防除機能付流し台用排水口蓋を提供すること。【解決手段】    上面に排水流入部２６を有すると共に外周面に薬液流出口３１が設けられた、内部に固形薬剤１６を収納したリング状の薬剤収納カセットであって、幅方向の長さが高さ方向の長さに比して長い薬液流出口３１が、排水流入部２６の下方外周面を除いて設けられ、内部に流入された排水を充満可能な構成となっているヌメリ防除剤収納カセット１３、及びヌメリ防除剤収納カセット１３を備えたヌメリ防除機能付流し台用排水口蓋１１である。【選択図】  図６
2006161534.tif 000002
【特許請求の範囲】
【請求項１】
上面に排水流入部を有すると共に外周面に薬液流出口が設けられた、内部に固形薬剤を収納したリング状の薬剤収納カセットであって、
前記薬液流出口が、排水流入部の下方外周面を除いて設けられ、内部に流入された排水を充満可能な構成となっていることを特徴とするヌメリ防除剤収納カセット。
【請求項２】
薬液流出口が、固形薬剤が収納された薬剤収納部の外周面及び固形薬剤を収納していない薬剤非収納部の外周面に設けられていることを特徴とする請求項１に記載のヌメリ防除剤収納カセット。
【請求項３】
薬液流出口が、外周面の上部又は中央部から下方に延設されたスリット状の開口であって、該スリットの幅が０．５〜４．０ｍｍであって、高さが１．０〜１０．０ｍｍであることを特徴とする請求項１又は２に記載のヌメリ防除剤収納カセット。
【請求項４】
薬液流出口が、下端まで貫通したスリット状の開口であることを特徴とする請求項３に記載のヌメリ防除剤収納カセット。
【請求項５】
固形薬剤とカセット周面との間に薬液流通隙間が設けられていることを特徴とする請求項１〜４のいずれかに記載のヌメリ防除剤収納カセット。
【請求項６】
透明又は半透明であることを特徴とする請求項１〜５のいずれかに記載のヌメリ防除剤収納カセット。
【請求項７】
請求項１〜６のいずれか記載のヌメリ防除剤収納カセットと、蓋本体とを備えたことを特徴とするヌメリ防除機能付流し台用排水口蓋。
【請求項８】
蓋本体が、プラスチック製であることを特徴とする請求項７記載のヌメリ防除機能付流し台用排水口蓋。
【請求項９】
上面に排水流入部を有すると共に外周面に薬液流出口が設けられた、内部に固形薬剤を収納したリング状の薬剤収納カセットであって、
前記薬液流出口は、その幅方向の長さが高さ方向の長さに比して長いことを特徴とするヌメリ防除剤収納カセット。
【請求項１０】
薬液流出口の幅方向の長さが、高さ方向の長さに対して、１．５〜３０倍であることを特徴とする請求項９に記載のヌメリ防除剤収納カセット。
【請求項１１】
薬液流出口の幅が２．０〜１５．０ｍｍであって、高さが０．５〜４．０ｍｍであることを特徴とする請求項９又は１０に記載のヌメリ防除剤収納カセット。
【請求項１２】
薬液流出口が、下端まで貫通した開口であることを特徴とする請求項９〜１１のいずれかに記載のヌメリ防除剤収納カセット。
【請求項１３】
薬液流出口が、固形薬剤が収納された薬剤収納部の外周面及び固形薬剤を収納していない薬剤非収納部の外周面に設けられていることを特徴とする請求項９〜１２のいずれかに記載のヌメリ防除剤収納カセット。
【請求項１４】
固形薬剤とカセット周面との間に薬液流通隙間が設けられていることを特徴とする請求項９〜１３のいずれかに記載のヌメリ防除剤収納カセット。
【請求項１５】
透明又は半透明であることを特徴とする請求項９〜１４のいずれかに記載のヌメリ防除剤収納カセット。
【請求項１６】
薬液流出口が、排水流入部の下方外周面を除いて設けられ、内部に流入された排水を充満可能な構成となっていることを特徴とする請求項９〜１５のいずれかに記載のヌメリ防除剤収納カセット。
【請求項１７】
請求項９〜１６のいずれか記載のヌメリ防除剤収納カセットと、蓋本体とを備えたことを特徴とするヌメリ防除機能付流し台用排水口蓋。
【請求項１８】
蓋本体が、プラスチック製であることを特徴とする請求項１７記載のヌメリ防除機能付流し台用排水口蓋。
【発明の詳細な説明】
【技術分野】
【０００１】
本発明は、ヌメリ防除剤収納カセット、及び該ヌメリ防除剤収納カセットを備えたヌメリ防除機能付流し台用排水口蓋に関する。
【背景技術】
【０００２】
従来より、家庭用流し台の排水口のゴミ取りカゴのヌメリ防止方法としては、さらし粉系酸化剤を単独又は他の成分と配合したものを加圧成形した錠剤を、プラスチック製のネット又はカゴ状収納容器に収納し、ヒモ等によりゴミ取りカゴ内に吊し、ゴミ取りカゴのヌメリを防止する方法がよく知られていたが（特許文献１参照。）、強力な酸化力によりゴミ取りカゴ及び周辺の排水口材質を劣化・腐食させる他、塩素ガスや三塩化窒素等の刺激臭のガスを発生する等の安全性に問題を有していた。このため、強い抗菌力を有し、かつ材質腐食やガスの発生をともなわない薬剤として、５−クロロ−２−メチル−４−イソチアゾリン−３−オンが開発されたが、水に易溶であり短期間で消費され短寿命であり、また、皮膚刺激性が激しいため、家庭において使用するには安全上問題があった。本発明者らは、５−クロロ−２−メチル−４−イソチアゾリン−３−オンと多分子系ホスト化合物とからなる包接化合物を加圧成形してなる非さらし粉系ヌメリ防除剤を提案した（特許文献２参照。）。この防除剤は、５−クロロ−２−メチル−４−イソチアゾリン−３−オンをホスト化合物により多分子包接体としているため皮膚刺激性が低下し、かつ水に対する溶解性も低下しており、ヌメリ防除剤として優れたものである。また、本発明者らは、有機ヨード系抗菌剤と固体酸とを加圧成形してなるヌメリ防除剤についても提案しており（特許文献３参照。）、このヌメリ防除剤も優れたヌメリ防除効果が確認されている。
【０００３】
また、本発明者らは、微生物の発育抑制物質を含有する固形薬剤と、該固形薬剤を収納するカセット（容器）と、該カセットを装着することができ、排水口の入口部又は上部に設置可能な形状をした蓋とからなり、前記カセットが、カセットの上面及び／又は側面上部に設けられたゴミの流入を抑制する構造を有する排水流入孔と容器の底部もしくは側面下部又はこれに加えて側面に設けられた溶解液流出孔とを有する、固形薬剤の溶解液をヌメリ発生面に広がらせることができるヌメリ防除機能付流し台用排水口蓋を提案している（特許文献４参照。）。そして、このタイプのヌメリ防除機能付流し台用排水口蓋は、実用化されている。
【０００４】
上記実際に実用化されているヌメリ防除機能付流し台用排水口蓋のカセット５０は、図１０及び図１１に示すように、外径１３ｃｍ、内径１０．６ｃｍ程度のリング状のカセット本体５２と、カセット本体５２に嵌合されるカセット蓋５４とを備えており、カセット本体５２は、その８割程度を占める、錠剤状の固形薬剤５６が収納された薬剤収納部５８（３箇所）と、薬剤非収納部６０（３箇所）とを有している。
【０００５】
図１１（Ｂ）に示すように、カセット５０の上面には、それぞれの薬剤収納部５８の周方向両側に２箇所、合計６箇所の排水流入部６２が形成されている。排水流入部６２は、周方向に延設された長さ２ｃｍ程度の流入部であって、半径方向に幅１ｍｍ程度のスリット状の開口６４が５本程度形成されている。
【０００６】
また、カセット５０の薬剤収納部５８上面の排水流入部６２に挟まれた区域には、蓋の裏側に薬剤を行き渡らせるための、周方向に一本のスリット状の上面薬液流出口６６が設けられている。さらに、図１０及び図１１に示すように、それぞれの薬剤収納部５８の外周面の下部に等間隔に３箇所、外周下部薬液流出口６８が設けられ、上部に２箇所、外周上部薬液流出口７０が設けられており、外周下部薬液流出口６８の両側２箇所、及び外周上部薬液流出口７０は、排水流入部６２の下方（直下）に位置している。また、外周下部薬液流出口６８及び外周上部薬液流出口７０は、高さ方向（縦方向）の長さが６ｍｍ、幅方向（横方向）の長さが２ｍｍ程度であって、高さ方向（縦方向）の長さが幅方向（横方向）の長さに比して長い、下端まで貫通したスリット状の開口となっている。
【０００７】
【特許文献１】特開平８−１２８０９０号公報
【特許文献２】特開平１０−２４５３０８号公報
【特許文献３】特開平１０−２４５３０６号公報
【特許文献４】特開２００１−３１７１０１号公報
【発明の開示】
【発明が解決しようとする課題】
【０００８】
しかしながら、上記ヌメリ防除機能付流し台用排水口蓋は、適度なヌメリ防除効果を長期にわたって維持できるものの、カセット内部の上部、特に、薬剤非収納部や上面薬液流出口が設けられた部分の（外側）上部に、スカムと呼ばれる比重の軽いゴミ等の汚れが付着しやすいことが判明し、外観上、衛生上の点から好ましくない。また、カセット内部には、上記スカムに限らず、その他のゴミ類も堆積することがあり、このような（スカムを含む）ゴミ類を効率よく排出できるような構造が望まれている。
【０００９】
本発明の第１の課題は、薬剤収納カセット内に排水を充満させる構造とすることにより、カセット内部に付着するスカム等の汚れをカセット外に排出可能として、カセットを清潔に維持することができるヌメリ防除剤収納カセット、及び該ヌメリ防除剤収納カセットを備えたヌメリ防除機能付流し台用排水口蓋を提供することにある。また、本発明の第２の課題は、薬剤収納カセット内に流入したゴミ類をスムーズに排出して、カセットを清潔に維持することができるヌメリ防除剤収納カセット、及び該ヌメリ防除剤収納カセットを備えたヌメリ防除機能付流し台用排水口蓋を提供することにある。
【課題を解決するための手段】
【００１０】
本発明者らは、排水の適度な流入速度及び流出速度を得ることにより、適度なヌメリ防除効果を長期にわたって維持させるために、様々な実験を繰り返し、現在製造販売されているカセットのように排水流入口及び薬液流出口を設計していた。しかしながら、カセット内部の上部、特に、薬剤非収納部や上面薬液流出口が設けられた部分の上部に、スカムと呼ばれる比重の軽いゴミ等の汚れが付着しやすいとういうことが判明した。本発明者らは、スカムが付着する部分がカセットの上部であることに着目し、カセット内を排水で充満させて、該充満させた排水により流入したスカムを洗い流すことにより、カセット内部を清潔に維持する方法を考え出し、かかる要求を満足できる構造を見い出し、本発明を完成するに至った。また、本発明者らは、薬液流出口の面積は従来と略同様であるが、その形状を所定形状にすることにより、意外にも、排水の適度な流入速度及び流出速度を保持したまま、薬剤収納カセット内に流入したスカムを含むゴミ類をスムーズに排出できることを見い出し、本発明を完成するに至った。
【００１１】
すなわち本発明は、（１）上面に排水流入部を有すると共に外周面に薬液流出口が設けられた、内部に固形薬剤を収納したリング状の薬剤収納カセットであって、前記薬液流出口が、排水流入部の下方外周面を除いて設けられ、内部に流入された排水を充満可能な構成となっていることを特徴とするヌメリ防除剤収納カセットや、（２）薬液流出口が、固形薬剤が収納された薬剤収納部の外周面及び固形薬剤を収納していない薬剤非収納部の外周面に設けられていることを特徴とする上記（１）に記載のヌメリ防除剤収納カセットや、（３）薬液流出口が、外周面の上部又は中央部から下方に延設されたスリット状の開口であって、該スリットの幅が０．５〜４．０ｍｍであって、高さが１．０〜１０．０ｍｍであることを特徴とする上記（１）又は（２）に記載のヌメリ防除剤収納カセットや、（４）薬液流出口が、下端まで貫通したスリット状の開口であることを特徴とする上記（３）に記載のヌメリ防除剤収納カセットや、（５）固形薬剤とカセット周面との間に薬液流通隙間が設けられていることを特徴とする上記（１）〜（４）のいずれかに記載のヌメリ防除剤収納カセットや、（６）透明又は半透明であることを特徴とする上記（１）〜（５）のいずれかに記載のヌメリ防除剤収納カセットに関する。
【００１２】
また本発明は、（７）上記（１）〜（６）のいずれか記載のヌメリ防除剤収納カセットと、蓋本体とを備えたことを特徴とするヌメリ防除機能付流し台用排水口蓋や、（８）蓋本体が、プラスチック製であることを特徴とする上記（７）記載のヌメリ防除機能付流し台用排水口蓋に関する。
【００１３】
さらに本発明は、（９）上面に排水流入部を有すると共に外周面に薬液流出口が設けられた、内部に固形薬剤を収納したリング状の薬剤収納カセットであって、前記薬液流出口は、その幅方向の長さが高さ方向の長さに比して長いことを特徴とするヌメリ防除剤収納カセットや、（１０）薬液流出口の幅方向の長さが、高さ方向の長さに対して、１．５〜３０倍であることを特徴とする請求項９に記載のヌメリ防除剤収納カセットや、（１１）薬液流出口の幅が２．０〜１５．０ｍｍであって、高さが０．５〜４．０ｍｍであることを特徴とする上記（９）又は（１０）に記載のヌメリ防除剤収納カセットや、（１２）薬液流出口が、下端まで貫通した開口であることを特徴とする上記（９）〜（１１）のいずれかに記載のヌメリ防除剤収納カセットや、（１３）薬液流出口が、固形薬剤が収納された薬剤収納部の外周面及び固形薬剤を収納していない薬剤非収納部の外周面に設けられていることを特徴とする上記（９）〜（１２）のいずれかに記載のヌメリ防除剤収納カセットや、（１４）固形薬剤とカセット周面との間に薬液流通隙間が設けられていることを特徴とする上記（９）〜（１３）のいずれかに記載のヌメリ防除剤収納カセットや、（１５）透明又は半透明であることを特徴とする上記（９）〜（１４）のいずれかに記載のヌメリ防除剤収納カセットや、（１６）薬液流出口が、排水流入部の下方外周面を除いて設けられ、内部に流入された排水を充満可能な構成となっていることを特徴とする上記（９）〜（１５）のいずれかに記載のヌメリ防除剤収納カセットに関する。
【００１４】
また本発明は、（１７）上記（９）〜（１６）のいずれか記載のヌメリ防除剤収納カセットと、蓋本体とを備えたことを特徴とするヌメリ防除機能付流し台用排水口蓋や、（１８）蓋本体が、プラスチック製であることを特徴とする上記（１７）記載のヌメリ防除機能付流し台用排水口蓋に関する。
【発明の効果】
【００１５】
本発明の第１のヌメリ防除剤収納カセット、及び該ヌメリ防除剤収納カセットを備えたヌメリ防除機能付流し台用排水口蓋によれば、薬剤収納カセット内に排水を充満させることができるので、カセット内部に流入したスカム等の汚れをカセット外に排出可能となり、カセットを清潔に維持することができる。また、本発明の第２のヌメリ防除剤収納カセット、及び該ヌメリ防除剤収納カセットを備えたヌメリ防除機能付流し台用排水口蓋によれば、薬剤収納カセット内に流入したゴミ類をスムーズに排出して、カセットを清潔に維持することができる。
【発明を実施するための最良の形態】
【００１６】
本発明の第１のヌメリ防除剤収納カセットとしては、上面に排水流入部を有すると共に外周面に薬液流出口が設けられた、内部に固形薬剤を収納したリング状の薬剤収納カセットであって、前記薬液流出口が、排水流入部の下方外周面（直下外面）を除いて設けられ、内部に流入された排水を充満可能な構成となっていれば特に制限されるものではなく、薬液流出口が排水流入部の下方外周面を除いて設けられているとは、薬液流出口が少なくとも排水流入部の下方外周面には設けられていないことを意味する。
【００１７】
本発明のヌメリ防除剤収納カセットによれば、排水流入部直下に薬液流出口が存在しないので、薬液が即座にカセット外に流出することを抑制し、カセット内に薬液を充満させることができるので、カセット内部全体を洗い流すことができ、カセット内部に流入したスカム等の汚れをカセット外に排出して、カセットを清潔に維持することができる。また、本発明のヌメリ防除剤収納カセットによれば、カセット内に収納されたすべての薬剤（錠剤）を均一に溶解させることができる。
【００１８】
リング状薬剤収納カセットの外周面に設けられる薬液流出口としては、円形、楕円形、四角形（正方形、長方形、平行四辺形、台形等）、ドーム形、三角形、星形、スリット状等の開口（小孔）が挙げられ、上部又は中央部から下方に延設されたスリット状の開口が好ましく、薬液流出口の幅方向の長さが高さ方向の長さに比して長い開口（楕円形、長方形、平行四辺形、台形、ドーム形、三角形等）がより好ましい。かかる開口は、下端まで貫通していることが特に好ましく、さらに、かかる貫通開口に連続して０を超えて３ｍｍ程度の範囲で半径方向内側に向かって底部に連続開口が設けられていてもよい。なお、薬液流出口の幅方向の長さが高さ方向の長さに比して長いとは、横方向の最長部分の幅方向の長さ（最長幅）が、縦方向の最長部分の高さ方向の長さ（最長高さ）より長いことを意味する。薬液流出口の幅方向の長さが高さ方向の長さに比して長い構成とすることにより、カセット内に流入したゴミ類の汚れをより効率よく排出することができる。
【００１９】
上部又は中央部から下方に延設されたスリット状の開口としては、スリットの幅（横方向の長さ）が０．５〜４．０ｍｍであって、高さが１．０〜１０．０ｍｍであることが好ましく、スリットの幅が１．０〜３．０ｍｍであって、高さが３．０〜８．０ｍｍであることがより好ましい。また、幅方向の長さが高さ方向の長さに比して長い開口としては、例えば、高さ方向の長さに対して幅方向の長さが１．５〜３０．０倍であることが好ましく、１．５〜１０．０倍であることがより好ましく、具体的には、幅が２．０〜１５．０ｍｍであって、高さが０．５〜４．０ｍｍであることが好ましく、幅が２．５〜１０．０ｍｍであって、高さが１．０〜３．０ｍｍであることがより好ましい。幅方向は、高さ方向と異なり構造上の制限がないため、より長い開口を形成することができる。具体的に、開口が楕円形、長方形又は平行四辺形の場合には、幅が２．０〜１５．０ｍｍであって、高さが１．０〜４．０ｍｍであることが好ましい。また、開口が、ドーム形又は台形の場合には、幅が２．０〜１５．０ｍｍであって、高さが０．５〜４．０ｍｍであることが好ましい。
【００２０】
この外周面に設けられる薬液流出口は、排水流入部の下方を除く外周面であればいずれに設けてもよく、固形薬剤が収納された薬剤収納部の外周面に設けられていてもよいし、固形薬剤を収納していない薬剤非収納部の外周面に設けられていてもよいが、薬剤収納部及び薬剤非収納部の外周面に設けられることが好ましい。
【００２１】
また、薬液流出口は、リング状薬剤収納カセットの内周面に設けられていてもよく、蓋本体の裏面側に薬液が行き渡りやすくするために、内周面上部に設けることが好ましい。また、薬液流出口は、上面に設けられていないことが好ましく、これにより、蓋本体とカセットの上面に隙間が存在しても、排水が流出しないので、かかる隙間にスカムを含むゴミ類が堆積することがなく、排水口蓋を清潔に保つことができる。
【００２２】
本発明の第２のヌメリ防除剤収納カセットとしては、上面に排水流入部を有すると共に外周面に薬液流出口が設けられた、内部に固形薬剤を収納したリング状の薬剤収納カセットであって、前記薬液流出口は、その幅方向（横方向）の長さが高さ方向（縦方向）の長さに比して長いヌメリ防除剤収納カセットであれば特に制限されるものではなく、全部の薬液流出口がかかる形状であることが好ましいが、本発明の効果を奏する限度において一部の薬液流出口がかかる形状となっていてもよく、薬液流出口の幅方向の長さが高さ方向の長さに比して長いとは、横方向の最長部分の幅方向の長さ（最長幅）が、縦方向の最長部分の高さ方向の長さ（最長高さ）より長いことを意味する。
【００２３】
本発明のヌメリ防除剤収納カセットによれば、薬剤収納カセット内に流入したゴミ類をスムーズに排出して、カセットを清潔に維持することができる。
【００２４】
リング状薬剤収納カセットの外周面に設けられる薬液流出口としては、その幅方向（横方向）の長さが高さ方向（縦方向）の長さに比して長い開口であれば特に制限されるものではなく、その形状としては、楕円形、長方形、平行四辺形、台形、ドーム形等の開口（小孔）が挙げられ、下端まで貫通していることが特に好ましい。さらに、かかる貫通開口に連続して０を超えて３ｍｍ程度の範囲で半径方向内側に向かって底部に連続開口が設けられていてもよい。これにより、カセット内に流入したゴミ類をより効率よく排出することができる。この外周面に設けられる薬液流出口の配置位置としては、特に制限されるものではなくいずれに設けられていてもよいが、排水流入部の下方を除く外周面に設けられることが好ましく、固形薬剤が収納された薬剤収納部の外周面に設けられていてもよいし、固形薬剤を収納していない薬剤非収納部の外周面に設けられていてもよく、薬剤収納部及び薬剤非収納部の外周面に設けられることがより好ましい。なお、薬液流出口が排水流入部の下方外周面を除いて設けられているとは、薬液流出口が少なくとも排水流入部の下方外周面には設けられていないことを意味する。
【００２５】
また、幅方向の長さが高さ方向の長さに比して長い開口としては、例えば、高さ方向の長さに対して幅方向の長さが１．５〜３０．０倍であることが好ましく、１．５〜１０．０倍であることがより好ましく、具体的に、幅が２．０〜１５．０ｍｍであって、高さが０．５〜４．０ｍｍであることが好ましく、幅が２．５〜１０．０ｍｍであって、高さが１．０〜３．０ｍｍであることがより好ましい。具体的に、開口が楕円形、長方形又は平行四辺形の場合には、幅が２．０〜１５．０ｍｍであって、高さが０．５〜４．０ｍｍであることが好ましい。また、開口が、ドーム形又は台形の場合には、幅が２．０〜１５．０ｍｍであって、高さが０．５〜４．０ｍｍであることが好ましい。
【００２６】
また、薬液流出口は、リング状薬剤収納カセットの内周面に設けられていてもよく、蓋本体の裏面側に薬液が行き渡りやすくするために、内周面上部に設けることが好ましい。また、薬液流出口は、上面に設けられていないことが好ましく、これにより、蓋本体とカセットの上面に隙間が存在しても、排水が流出しないので、かかる隙間にスカムを含むゴミ類が堆積することがなく、排水口蓋を清潔に保つことができる。
【００２７】
リング状薬剤収納カセットは、好ましくはプラスチックから構成され、その外径が１２５．０ｍｍ〜１４５．０ｍｍ、内径が１００．０ｍｍ〜１３４．０ｍｍ、厚さが８．０ｍｍ〜２０．０ｍｍであることが好ましく、その外径が１２７．０ｍｍ〜１３８．０ｍｍ、内径が１０５．０ｍｍ〜１２５．０ｍｍ、厚さが１０．０ｍｍ〜１５．０ｍｍであることがより好ましい。また、薬剤収納カセットは、内部に収納された固形薬剤の消費量を確認できるように、透明又は半透明であることが好ましい。透明又は半透明である場合、同時にスカムを含むゴミ類の汚れも目立つようになるが、本発明のヌメリ防除剤収納カセットにおいては、スカムを含むゴミ類を効果的に排出してカセット内部を清潔に保つことができるので、特に有効である。
【００２８】
また、カセットに収納される固形薬剤としては、ヌメリを防除できる固形薬剤であれば特に制限されず、例えば、特開２００１−３１７１０１号公報に記載の固形薬剤を挙げることができる。また、例えば、支持部材を用いて、カセットに収納される固形薬剤を内周側又は外周側に寄せて、固形薬剤とカセット周面との間に隙間（薬液流通隙間）を設けてもよく、これにより、カセット内部を薬液がより流通しやすくなり、カセット内部に流入したスカムを含むゴミ類をより効率よく洗い流すことができる。かかる薬液流通隙間としては、０．３ｍｍ〜４．０ｍｍ程度であることが好ましく、０．５ｍｍ〜３．０ｍｍであることがより好ましい。かかる薬液流通隙間と上記の幅方向の長さが高さ方向の長さに比して長い開口を併用することにより、極めてゴミ類が堆積しにくい構造となる。
【００２９】
リング状薬剤収納カセットの上面に設けられる排水流入部としては、排水が流入可能な開口を有していれば特に制限されるものではなく、例えば、円形、四角形、三角形、星形、スリット状等の開口（小孔）が形成された部位が挙げられ、排水を円滑にカセット内に導くことができることから、半径方向に形成されたスリット状の開口であることが好ましく、カセット外側部から内側端まで貫通して設けられていることが特に好ましい。
【００３０】
また、本発明のヌメリ防除機能付流し台用排水口蓋としては、上記本発明のヌメリ防除剤収納カセットと、蓋本体とを備えていれば特に制限されるものではなく、蓋本体としては、例えば、ゴム製、プラスチック製の蓋が挙げられ、撥水性がよくヌメリが発生しにくいので、プラスチック製の蓋が好ましい。
【００３１】
本発明のヌメリ防除機能付流し台用排水口蓋を排水口に設置する場合、カセットの底部が排水口のゴミ籠の周縁部に載置されるが、既存のゴミ籠よりも大きなゴミ籠に設置できるようにするには、カセットのリングそのもの（内径及び外径）を大きくするのではなく、外径のみを大きくすることにより対応することが好ましく、これにより、既存の蓋本体を使用することができる。すなわち、リング状薬剤収納カセットは、その内壁に形成された係合部を蓋本体に設けられた被係合部に係合させることにより、蓋本体に装着（一体化）されているので、内径を変化させないことにより、既存の蓋本体を継続して使用することが可能となり、製造コストを低減させることができる。このとき、支持部材を用いてカセットに収納される固形薬剤を内周側に寄せる、すなわち、固形薬剤とカセット外周壁内部との間に隙間（薬液流通隙間）を設けることが好ましい。これにより、既存の大きさ及び量の粒状の固形薬剤を使用することが可能となり、また、カセット内部を薬液がより流通しやすくなって、カセット内部に流入したスカム等の汚れを効率よく洗い流すことができる。かかる薬液流通隙間としては、０．３ｍｍ〜４．０ｍｍ程度であることが好ましく、０．５ｍｍ〜３．０ｍｍであることがより好ましい。
【００３２】
以下、実施例により本発明をより具体的に説明するが、本発明の技術的範囲はこれらの例示に限定されるものではない。図１は、本発明の第１実施形態に係るヌメリ防除機能付流し台用排水口蓋の斜視図であり、図２は、図１に示すヌメリ防除機能付流し台用排水口蓋のカセットの斜視図であり、図３は、本発明の第１実施形態に係るヌメリ防除剤収納カセットの概略説明図であり、（Ａ）はカセット本体を示し、（Ｂ）はカセット蓋を示す。
【００３３】
図１〜３に示すように、本発明の第１実施形態に係るヌメリ防除機能付流し台用排水口蓋１０は、蓋本体１２とヌメリ防除剤収納カセット１４とを備えている。
【００３４】
蓋本体１２は、プラスチックからなる直径１４．４ｃｍ程度の円盤状部材であって、周縁部より少し内側に、周方向の長さ２ｃｍ程度、幅１ｃｍ程度の開口１５が、周方向に所定間隔をあけて、６箇所設けられている。
【００３５】
ヌメリ防除剤収納カセット１４は、外径１３ｃｍ、内径１０．６ｃｍ程度のリング状部材であって、錠剤状の固形薬剤１６が収納された薬剤収納部１８と、固形薬剤１６が収納されていない薬剤非収納部２０とを有しており、それぞれ３箇所ずつ設けられている。このヌメリ防除剤収納カセット１４は、カセット本体２２にカセット蓋２４を係止させることにより一体化されている。
【００３６】
ヌメリ防除剤収納カセット１４の上面には、それぞれの薬剤収納部１８の周方向両側に２箇所、合計６箇所の排水流入部２６が設けられている。排水流入部２６は、周方向に延設された長さ２ｃｍ程度の流入部であって、半径方向に幅１ｍｍ程度のスリット状の開口２８が５本程度形成されている。かかるスリット状開口２８は、排水を円滑にカセット１４内に導くことができるように、カセット１４外側部から内側端まで貫通して設けられている。かかる排水流入部２６は、蓋本体１２とカセット１４とを嵌合した場合に、蓋本体１２の開口１５に対応する。
【００３７】
また、カセット１４の外周面には、カセット１４内部に導入された排水（固形薬剤１６が溶解した薬液）を流出するための外周薬液流出口３０が設けられている。具体的に、外周薬液流出口３０は、排水流入部２６の下方外周面を除いた部分、すなわち、上方に排水流入部２６を有しない薬剤収納部１８の中央部の外周面、及び上方に排水流入部２６を有しない薬剤非収納部２０の外周面に、それぞれ１箇所ずつ、合計６箇所設けられている。かかる外周薬液流出口３０は、外周面の中央部又は上部から下端まで貫く幅２ｍｍ程度のスリット状の開口である。
【００３８】
また、カセット１４の内周面に内周薬液流出口３２が設けられている。かかる内周薬液流出口３２は、前記外周面に設けられた外周薬液流出口３０の位置に略対応した内周面の上部に設けられており、内周面の中央部からカセット上端まで貫く幅２ｍｍ程度のスリット状の開口である。
【００３９】
上記のようなヌメリ防除機能付流し台用排水口蓋１０は、使用に際して、排水が排水流入部２６から導入されると、すぐ直下に薬液流出口３０が存在しないので、即座にカセット１４外に排出されることなく、したがって、カセット１４内部に排水（固形薬剤１６が溶解した薬液）が充満されるようになり、カセット１４内部を洗浄することが可能となって、カセット１４内部を清潔に保持することができる。また、これと同時に、従来同様、濃い薬液を流出することができる。さらに、カセット１４内での排水滞留時間が長いので、従来に比して解けにくい固形薬剤１６を使用することも可能となる。
【００４０】
また、上記ヌメリ防除機能付流し台用排水口蓋１０を、現行サイズよりも大きなゴミ籠を備えた排水口に使用する場合には、カセット１４の外径のみを大きくすることにより、より低コストで対応することができる。すなわち、ヌメリ防除剤収納カセット１４は、その内壁に形成された係合部を蓋本体中央部に設けられた被係合部に係合させることにより、蓋本体１２に装着されているので、内径を変化させないことにより、既存の蓋本体１２を継続して使用することが可能となり、また、図４に示すように、断面三角形の支持部材３４を用いて固形薬剤１６を内周３６側に寄せることにより、既存の大きさ及び量の粒状の固形薬剤１６を使用することが可能となる。また、固形薬剤１６を内周３６側に寄せることにより、カセット１４内部を薬液がより流通しやすくなり、カセット１４内部に付着したスカム等の汚れを効率よく洗い流すことができる。
【００４１】
以下、本発明の第２実施形態に係るヌメリ防除機能付流し台用排水口蓋を説明する。図５は、本発明の第２実施形態に係るヌメリ防除機能付流し台用排水口蓋の斜視図であり、図６は、図５に示すヌメリ防除機能付流し台用排水口蓋のカセットの斜視図であり、図７は、本発明の第２実施形態に係るヌメリ防除剤収納カセットの概略説明図であり、（Ａ）はカセット本体を示し、（Ｂ）はカセット蓋を示す。
【００４２】
図５〜７に示すように、本発明の第２実施形態に係るヌメリ防除機能付流し台用排水口蓋１１は、蓋本体１２とヌメリ防除剤収納カセット１３とを備えている。
【００４３】
蓋本体１２は、プラスチックからなる直径１４．４ｃｍ程度の円盤状部材であって、周縁部より少し内側に、周方向の長さ２ｃｍ程度、幅１ｃｍ程度の開口１５が、周方向に所定間隔をあけて、６箇所設けられている。
【００４４】
ヌメリ防除剤収納カセット１３は、外径１３ｃｍ、内径１０．６ｃｍ程度のリング状部材であって、錠剤状の固形薬剤１６が収納された薬剤収納部１８と、固形薬剤１６が収納されていない薬剤非収納部２０とを有しており、それぞれ３箇所ずつ設けられている。このヌメリ防除剤収納カセット１３は、カセット本体２３にカセット蓋２４を係止させることにより一体化されている。
【００４５】
ヌメリ防除剤収納カセット１３の上面には、それぞれの薬剤収納部１８の周方向両側に２箇所、合計６箇所の排水流入部２６が設けられている。排水流入部２６は、周方向に延設された長さ２ｃｍ程度の流入部であって、半径方向に幅１ｍｍ程度のスリット状の開口２８が５本程度形成されている。かかるスリット状開口２８は、排水を円滑にカセット１３内に導くことができるように、カセット１３外側部から内側端まで貫通して設けられている。かかる排水流入部２６は、蓋本体１２とカセット１３とを嵌合した場合に、蓋本体１２の開口１５に対応する。
【００４６】
また、カセット１３の外周面には、カセット１３内部に導入された排水（固形薬剤１６が溶解した薬液）を流出するための外周薬液流出口３１が設けられている。具体的に、外周薬液流出口３１は、排水流入部２６の下方外周面を除いた部分、すなわち、上方に排水流入部２６を有しない薬剤収納部１８の中央部の外周面、及び上方に排水流入部２６を有しない薬剤非収納部２０の外周面に、それぞれ１箇所ずつ、合計６箇所設けられている。かかる外周薬液流出口３１は、外周面の下部に横長の長方形の幅５．０ｍｍ、高さ２．０ｍｍ程度の下端まで貫く開口である。この開口の他の例としては、例えば、図８（Ａ）〜（Ｄ）に示すものが挙げられる。（Ａ）は平行四辺形の開口であり、（Ｂ）はドーム形の開口であり、（Ｃ）は台形の開口であり、（Ｄ）は三角形の開口である。
【００４７】
また、カセット１３の内周面に内周薬液流出口３２が設けられている。かかる内周薬液流出口３２は、前記外周面に設けられた外周薬液流出口３１の位置に略対応した内周面の上部に設けられており、内周面の中央部からカセット上端まで貫く幅２ｍｍ程度のスリット状の開口である。
【００４８】
上記のようなヌメリ防除機能付流し台用排水口蓋１０は、使用に際して、排水が排水流入部２６から導入されると、すぐ直下に薬液流出口３０が存在しないので、即座にカセット１３外に排出されることなく、したがって、カセット１３内部に排水（固形薬剤１６が溶解した薬液）が充満されるようになり、カセット１３内部を洗浄することが可能となって、カセット１３内部を清潔に保持することができる。また、これと同時に、従来同様、濃い薬液を流出することができる。さらに、カセット１３内での排水滞留時間が長いので、従来に比して解けにくい固形薬剤１６を使用することも可能となる。また、開口の幅方向の長さが高さ方向の長さに比して長く構成されているので、薬剤収納カセット内に流入したゴミ類をスムーズに排出することができる。
【００４９】
また、上記ヌメリ防除機能付流し台用排水口蓋１０を、現行サイズよりも大きなゴミ籠を備えた排水口に使用する場合には、カセット１３の外径のみを大きくすることにより、より低コストで対応することができる。すなわち、ヌメリ防除剤収納カセット１３は、その内壁に形成された係合部を蓋本体中央部に設けられた被係合部に係合させることにより、蓋本体１２に装着されているので、内径を変化させないことにより、既存の蓋本体１２を継続して使用することが可能となり、また、図８に示すように、断面三角形の支持部材３４を用いて固形薬剤１６を内周３６側に寄せることにより、既存の大きさ及び量の粒状の固形薬剤１６を使用することが可能となる。また、固形薬剤１６を内周３６側に寄せることにより、カセット１３内部を薬液がより流通しやすくなり、カセット１３内部に付着したスカムを含むゴミ類を効率よく洗い流すことができる。
【図面の簡単な説明】
【００５０】
【図１】本発明の第１実施形態に係るヌメリ防除機能付流し台用排水口蓋の斜視図である。
【図２】図１に示すヌメリ防除機能付流し台用排水口蓋のカセットの斜視図である。
【図３】本発明の第１実施形態に係るヌメリ防除剤収納カセットの概略説明図であり、（Ａ）はカセット本体を示し、（Ｂ）はカセット蓋を示す。
【図４】本発明の第１実施形態の変形例に係るヌメリ防除剤収納カセットの概略縦断面である。
【図５】本発明の第２実施形態に係るヌメリ防除機能付流し台用排水口蓋の斜視図である。
【図６】図１に示すヌメリ防除機能付流し台用排水口蓋のカセットの斜視図である。
【図７】本発明の第２実施形態に係るヌメリ防除剤収納カセットの概略説明図であり、（Ａ）はカセット本体を示し、（Ｂ）はカセット蓋を示す。
【図８】本発明の第２実施形態に係るヌメリ防除剤収納カセットの開口の変形例を示す図である。
【図９】本発明の第２実施形態の変形例に係るヌメリ防除剤収納カセットの概略縦断面である。
【図１０】従来のヌメリ防除剤収納カセットの斜視図である。
【図１１】従来のヌメリ防除機能付流し台用排水口蓋のカセットの概略図であり、（Ａ）はカセット本体を示し、（Ｂ）はカセット蓋を示す。
【符号の説明】
【００５１】
１０    ヌメリ防除機能付流し台用排水口蓋
１１    ヌメリ防除機能付流し台用排水口蓋
１２    蓋本体
１３    ヌメリ防除剤収納カセット
１４    ヌメリ防除剤収納カセット
１５    開口
１６    固形薬剤
１８    薬剤収納部
２０    薬剤非収納部
２２    カセット本体
２３    カセット本体
２４    カセット蓋
２６    排水流入部
２８    スリット状開口
３０    外周薬液流出口
３１    外周薬液流出口
３２    内周薬液流出口
３４    支持部材
３６    内周
【図１】
2006161534.tif 000003
【図２】
2006161534.tif 000004
【図３】
2006161534.tif 000005
【図４】
2006161534.tif 000006
【図５】
2006161534.tif 000007
【図６】
2006161534.tif 000008
【図７】
2006161534.tif 000009
【図８】
2006161534.tif 000010
【図９】
2006161534.tif 000011
【図１０】
2006161534.tif 000012
【図１１】
2006161534.tif 000013